(57)【特許請求の範囲】
【請求項１】
建物の共通玄関と各戸との間を結ぶ生活導線上に設置される各ゲートの電気錠の開錠を制御する電気錠システムにおいて、
前記各戸に設置され、来訪者とインターホン通話して該来訪者の入館を承認するときに操作される開錠ボタンを有するインターホン子機と、
前記電気錠と対をなして前記ゲート毎に設置され、前記訪問者が訪問先の戸を呼び出してインターホン通話するための玄関機と、
前記玄関機と前記インターホン子機との間のインターホン通話を制御し、前記開錠ボタンが操作されたときに、前記玄関機と対をなす電気錠を開錠するための開錠信号を出力するインターホン制御器と、
前記来訪者が予め所持する記憶媒体に事前に記憶される書き換えできない固有ＩＤを認証情報として読み取る読取器と、
前記開錠ボタンの操作により前記インターホン制御器から開錠信号が入力されたときに、前記読取器を設定時間だけ登録状態に移行させ、前記読取器が登録状態にあるときに当該読取器が読み取った前記記憶媒体の認証情報を時刻とともに登録するとともに前記読取器を有する玄関機と対をなす電気錠を開錠制御する読取制御器と、
を備えたことを特徴とする電気錠システム。
【請求項２】
前記読取制御器は、前記認証情報の登録後から予め設定された登録有効時間内に別のゲートの読取器が登録済みの認証情報を読み取ったときに、該読取器の玄関機と対をなす電気錠を開錠制御し、前記認証情報の登録後から前記登録有効時間が経過したときは、前記登録済みの認証情報を削除して該認証情報の一時登録を解除することを特徴とする請求項１記載の電気錠システム。
【発明の詳細な説明】
【技術分野】
【０００１】
本発明は、例えばマンション、商業ビル等の建物に採用され、建物の共用玄関（メインエントランス）と各戸との間を結ぶ生活導線上の各ゲートにおいて、来訪者が所持する記憶媒体の認証情報の認証結果又は来訪者が任意に入力する暗証情報の一時的な登録および認証結果に基づいて電気錠の開錠を制御する電気錠システムに関するものである。
【背景技術】
【０００２】
従来、記憶媒体の認証情報の認証結果に基づいて電気錠を制御する電気錠システムとしては、例えば下記特許文献１や特許文献２に開示されるものが知られている。特許文献１の電気錠システムでは、予めＩＤコードが記録されたＩＤカードを住人が所有しており、このＩＤカードをカードリーダに読み取らせ、読み取ったＩＤカードのＩＤコードを正常認証したときに、玄関に設けられた電気錠を解錠している。
【０００３】
また、特許文献２に開示される電気錠システムでは、予め来訪者の識別情報が記録されたＩＣカードを来訪者に配布しておき、共用玄関に設けられた読取装置がＩＣカードの認証情報を読み取り、読み取ったＩＣカードの認証情報を正常認証したときに、共用玄関に設けられた電気錠を解錠している。
【０００４】
ところで、近年の最新マンションにおいて、共用玄関と各住戸との間を結ぶ生活導線上の人が出入りするゲートには、共用玄関や通用口のみならず、エレベータ箱内もしくは各階のエレベータホールにもカード媒体（例えばＩＤカードやＩＣカード等）の情報を読み取るリーダを施設し、住人以外の来訪者の入館を２重、３重に制限してセキュリティを強化した電気錠システムが増えつつある。
【０００５】
そして、このようなセキュリティを強化した電気錠システムでは、例えば知人、友人等のゲストやケータリング（出前）が来訪者として入館する場合、共用玄関のインターホン機器で部屋を呼び出して開錠し、その後エレベータホールで再度呼び出して開錠し、さらにフロアで再々度呼び出して開錠することになる。
【先行技術文献】
【特許文献】
【０００６】
【特許文献１】特開平０６−２８０４２９号公報
【特許文献２】特開２００４−１８０１４０号公報
【発明の概要】
【発明が解決しようとする課題】
【０００７】
しかしながら、上述したセキュリティを強化した電気錠システムでは、セキュリティの強化に比例してシステムの利便性が犠牲になるという問題があった。具体的には、居住者以外の来訪者の入館が幾重にも規制されることによるストレスが増し、例えばコンシェルジュや管理者が常駐していない物件では、尚更対応が複雑になった。しかも、来訪者が入館できない又は入館し難いので、来訪者である新聞配達員や宅配業者が住戸玄関まで配達せず、居住者にとっては配達物を取りに出向く手間がかかるという問題があった。
【０００８】
そこで、本発明は上記問題点に鑑みてなされたものであり、現行のシステムを生かしてセキュリティを十分に確保しつつ居住者や来訪者にとって使い勝手の良いシステムを構築することができる電気錠システムを提供することを目的とするものである。
【課題を解決するための手段】
【０００９】
上記した目的を達成するために、請求項１記載の電気錠システムは、建物の共通玄関と各戸との間を結ぶ生活導線上に設置される各ゲートの電気錠の開錠を制御する電気錠システムにおいて、
前記各戸に設置され、来訪者とインターホン通話して該来訪者の入館を承認するときに操作される開錠ボタンを有するインターホン子機と、
前記電気錠と対をなして前記ゲート毎に設置され、前記訪問者が訪問先の戸を呼び出してインターホン通話するための玄関機と、
前記玄関機と前記インターホン子機との間のインターホン通話を制御し、前記開錠ボタンが操作されたときに、前記玄関機と対をなす電気錠を開錠するための開錠信号を出力するインターホン制御器と、
前記来訪者が予め所持する記憶媒体に事前に記憶される書き換えできない固有ＩＤを認証情報として読み取る読取器と、
前記開錠ボタンの操作により前記インターホン制御器から開錠信号が入力されたときに、前記読取器を設定時間だけ登録状態に移行させ、前記読取器が登録状態にあるときに当該読取器が読み取った前記記憶媒体の認証情報を時刻とともに登録するとともに前記読取器を有する玄関機と対をなす電気錠を開錠制御する読取制御器と、
を備えたことを特徴とする。
【００１０】
請求項２に記載された電気錠システムは、請求項１の電気錠システムにおいて、
前記読取制御器は、前記認証情報の登録後から予め設定された登録有効時間内に別のゲートの読取器が登録済みの認証情報を読み取ったときに、該読取器の玄関機と対をなす電気錠を開錠制御し、前記認証情報の登録後から前記登録有効時間が経過したときは、前記登録済みの認証情報を削除して該認証情報の一時登録を解除することを特徴とする。
【発明の効果】
【００１３】
本発明に係る電気錠システムによれば、一次利用の来訪者が所持する記憶媒体の認証情報の一時登録や来訪者の操作入力による暗証情報の一時登録を行うにあたって、専用のサーバーやデータベース等が必要なく、初期投資を抑えてシステムを構築することができる。
【００１４】
また、一次利用の来訪者が所持する記憶媒体の認証情報の一時登録や来訪者の操作入力による暗証情報の一時登録を行う場合、管理者やコンシェルジュが仲介、介在する方法が一般的であるが、専有部エリアのインターホン子機の開錠ボタンの操作による開錠信号をトリガとして利用することにより、ゲスト認証行為と登録状態移行を同時に行えるので、管理者、コンシェルジュの負担が無くなり、２４時間新規のゲスト登録が可能になる。
【００１５】
さらに、セキュリティはそのままに自宅玄関まで友人知人を小ストレスで招き入れられ、また生活に必要なサービス（例えば宅配、郵便、ケータリング等）を享受できる。
【００１６】
また、来訪者が所持する記憶媒体の認証情報や来訪者の操作入力による暗証情報は、予め決めた登録有効時間が経過すると、それまでに登録された認証情報や暗証情報が削除され、一時登録が自動的に解除されるので、セキュリティを維持でき、運用連携が必要な他社機器（マンションインターホン装置やオートドア等）に関しては現行製品のままで特殊な改造が伴わないため、導入しやすいシステムを提供することができる。
【図面の簡単な説明】
【００１７】
【図１】本発明に係る電気錠システムの第１の実施の形態を示すブロック構成図である。
【図２】図１の電気錠システムの処理手順を示すフローチャート図である。
【図３】本発明に係る電気錠システムの第２の実施の形態を示すブロック構成図である。
【図４】図３の電気錠システムの処理手順を示すフローチャート図である。
【発明を実施するための形態】
【００１８】
以下、本発明を実施するための形態について、添付した図面を参照しながら詳細に説明する。図１は本発明に係る電気錠システムの第１の実施形態を示すブロック構成図、図２は図１の電気錠システムの処理手順を示すフローチャート図、図３は本発明に係る電気錠システムの第２の実施形態を示すブロック構成図、図４は図３の電気錠システムの処理手順を示すフローチャート図である。
【００１９】
本発明に係る電気錠システムは、例えばマンション、商業ビル等の建物に採用され、建物の共用玄関（メインエントランス）と各戸との間を結ぶ生活導線上の各ゲート（共用玄関、通用口、各階のエレベータホール、エレベータ箱内等）において、来訪者が所持する記憶媒体の認証情報の認証結果又は来訪者が任意に入力する暗証情報の一時的な登録および認証結果に基づいて電気錠の開錠を制御するものである。以下では、建物としてオートロックのマンションに本発明に係る電気錠システムを採用した場合を例にとって説明する。
【００２０】
第１の実施形態の電気錠システム１（１Ａ）は、マンションの共用部エリアに設置される機器と、マンションの各住戸の専有部エリアに設置される機器で構築される。
【００２１】
マンションの共用部エリアに設置される機器は、図１に示すように、玄関機１１、電気錠１２、インターホン制御器１３、読取制御器１４が該当する。
【００２２】
玄関機１１は、マンションの共用玄関と各住戸との間を結ぶ生活導線上の各所ゲート（共用玄関、通用口、各階のエレベータホール、エレベータ箱内等）毎に設置され、呼出入力器２１、読取器２２を有している。
【００２３】
呼出入力器２１は、来訪者が操作するもので、来訪する住戸の部屋番号を入力するテンキー２１ａと、居住者を呼び出して相互に通話するインターホン２１ｂから構成される。
【００２４】
読取器２２は、来訪者がマンションに入館する際に必要な記憶媒体の認証情報（固有ＩＤ）を読み取るリーダであり、読取制御器１４の制御により、記憶媒体からの認証情報の読み取りを有効にする登録状態に移行する。
【００２５】
尚、来訪者が所持する記憶媒体は、読取器２２による認証情報の読み取りが可能な媒体であって、例えば書き換えができない固有のＩＤを認証情報として予め記憶しており、具体的にはおサイフケータイ（登録商標）の他、ＮＡＮＡＣＯ（登録商標）カード、ＷＡＯＮ（登録商標）カード、ＥＤＹ（登録商標）カード、ＪＡＬ（登録商標）カード、ＡＮＡ（登録商標）カードのような様々な情報を集積回路（ＩＣ）に盛り込んだ各種ＩＣカード等からなる。
【００２６】
電気錠１２は、各ゲートに玄関機１１と対をなして設置され、読取制御器１４からの開錠信号（接点出力：無電圧ａ接点）によって開錠が制御されるオートドアからなる。尚、電気錠１２は、開錠により人が出入りし所定時間が経過すると自動的に閉錠されるオートロックシステムを採用している。
【００２７】
インターホン制御器１３は、各玄関機１１の呼出入力器２１と後述するインターホン子機３１との間を接続し、呼出入力器２１のテンキー２１ａの操作により、来訪者と居住者との間のインターホン２１ｂによる相互通話が行えるように制御している。また、インターホン制御器１３は、マンションの最初のゲート（共用玄関のゲート）において、インターホン２１ｂによる通話で居住者が来訪者を確認して入館を承認し、後述するインターホン子機３１の開錠ボタン３１ａが操作（押下）されたときに、開錠信号（接点出力：無電圧ａ接点）を読取制御器１４に出力している。
【００２８】
読取制御器１４は、インターホン制御器１３から開錠信号が入力されたときに、読取器２２を予め設定された設定時間（例えば１０秒間）だけ登録状態に移行制御している。また、読取制御器１４は、読取器２２が登録状態のときに、その読取器２２が読み取った記憶媒体の認証情報を時刻とともに予め設定された登録有効時間（例えば１時間）だけ登録し、その読取器２２の玄関機１１と対をなす電気錠１２を開錠するべく開錠信号を出力している。
【００２９】
マンションの専有部エリアに設置される機器は、図１に示すように、各住戸におけるインターホン子機３１が該当する。インターホン子機３１は、インターホン制御機１３を介して居住者が来訪者との間でインターホンで通話を行うもので、インターホンでの通話により居住者が来訪者を確認してマンションへの入館を承認したときに操作（押下）される開錠ボタン３１ａを有している。
【００３０】
次に、上記構成による第１の実施形態の電気錠システムの運用に関して、処理動作毎に場合分けして説明する。
【００３１】
・最初のゲートであるマンションの共用玄関での処理動作（図２を参照）
来訪者は、最初のゲートであるマンションの共用玄関の玄関機１１における呼出入力器２１のテンキー２１ａを操作して居住者部屋番号を押し、訪問先の居住者を呼び出す。これにより、居住者は、住戸のインターホン子機３１で応答し、インターホン通話して来訪者を確認し、来訪者のマンションへの入館を承認する場合はインターホン子機３１の開錠ボタン３１ａを操作（押下）する。
【００３２】
インターホン子機３１の開錠ボタン３１ａが操作（押下）されると、インターホン制御器１３から読取制御器１４に開錠信号が出力される。読取制御器１４は、インターホン制御器１３から開錠信号が入力されると、共用玄関の玄関機１１を設定時間（例えば１０秒）だけ登録状態に移行するべく制御する。これにより、玄関機１１の読取器２２が登録状態に移行する。この登録状態で、来訪者が読取器２２に手持ちの記憶媒体をかざすと、その記憶媒体の認証情報を読取器２２が読み取り、読み取った認証情報を読取制御器１４に出力する。
【００３３】
続いて、読取制御器１４は、読取器２２から認証情報が入力されると、その認証情報を時刻とともに登録有効時間（例えば１時間）だけ一時的に登録する。同時に、その認証情報を読み取った読取器２２の玄関機１１と対をなす共用玄関の電気錠１２に開錠信号を出力する。これにより、共用玄関の電気錠１２は、読取制御器１４からの開錠信号により開錠する。
【００３４】
・来訪者が途中のゲートで登録済みの記憶媒体を使用した場合の処理動作
その後、来訪者は、共用玄関を通過し、訪問先の住戸までの間の生活導線上の各ゲートにおける玄関機１１の読取器２２に一時登録された認証情報が記憶された記憶媒体を登録有効時間が経過する前にかざせば、読取制御器１４が認証情報を正常認証し、その読取器２２の玄関機１１と対をなす電気錠１２を開錠する。
【００３５】
・来訪者が時間切れの記憶媒体を使用した場合の処理動作
読取制御器１４は、登録有効時間（例えば１時間）が経過すると、一時登録された記憶媒体の認証情報を自動的に削除し、一時登録を解除する。そして、登録有効時間が経過した後に来訪者が手持ちの記憶媒体を読取器２２にかざすと、読取制御器１４は読取器２２が読み取った認証情報を正常認証せず、その読取器２２の玄関機１１と対をなす電気錠１２を開錠しない。この場合、再度呼出入力器２１から居住者とインターホン通話し、居住者の承認による開錠ボタン３１ａの操作（押下）により読取器２２を登録状態に移行させ、登録状態にある読取器２２に手持ちの記憶媒体をかざして認証情報の登録を行う。
【００３６】
次に、第２の実施形態の電気錠システム１（１Ｂ）は、第１の実施形態の電気錠システム１Ａと同様に、マンションの共用部エリアに設置される機器と、マンションの各住戸の専有部エリアに設置される機器で構築される。尚、第１の実施形態の電気錠システム１Ａと同等の構成要素には同一番号を付して説明する。
【００３７】
マンションの共用部エリアに設置される機器は、図３に示すように、玄関機１１、電気錠１２、インターホン制御器１３、入力制御器１５が該当する。
【００３８】
玄関機１１は、マンションの共用玄関と各住戸との間を結ぶ生活導線の各所ゲート（共用玄関、通用口、各階のエレベータホール、エレベータ箱内等）毎に設置され、呼出入力器２１、入力器２３を有している。
【００３９】
呼出入力器２１は、来訪者が操作するもので、住戸の部屋番号を入力するテンキー２１ａと、居住者を呼び出して通話するインターホン２１ｂから構成される。
【００４０】
入力器２３は、来訪者が入館する際に必要な暗証情報（任意のパスワード）を来訪者が決めて入力するためのテンキーを有しており、入力制御器１５の制御により、テンキーによる暗証情報の入力が有効となる登録状態に移行する。
【００４１】
電気錠１２は、各ゲートに玄関機１１と対をなして設置され、入力制御器１５からの開錠信号（接点出力：無電圧ａ接点）によって開錠が制御されるオートドアからなる。尚、電気錠１２は、開錠により人が出入りし所定時間が経過すると自動的に閉錠されるものである。
【００４２】
インターホン制御器１３は、各玄関機１１の呼出入力器２１と後述するインターホン子機３１との間を接続し、呼出入力器２１のテンキー２１ａの操作により、来訪者と居住者との間のインターホン２１ｂによる相互通話が行えるように制御している。また、インターホン制御器１３は、マンションの最初のゲート（共用玄関のゲート）において、インターホン２１ｂによる通話で居住者が来訪者を確認して入館を承認し、後述するインターホン子機３１の開錠ボタン３１ａが操作（押下）されたときに、開錠信号（接点出力：無電圧ａ接点）を読取制御器１４に出力している。
【００４３】
読取制御器１４は、インターホン制御器１３から開錠信号が入力されたときに、読取器２２を予め設定された設定時間（例えば１０秒間）だけ登録状態に移行制御している。また、読取制御器１４は、読取器２２が登録状態のときに、その読取器２２が読み取った記憶媒体の認証情報（固有のＩＤ）を時刻とともに予め設定された登録有効時間（例えば１時間）だけ登録し、その読取器２２の玄関機１１と対をなす電気錠１２を開錠するべく開錠信号を出力している。
【００４４】
入力制御器１５は、インターホン制御器１３から開錠信号が入力されたときに、入力器２３を設定時間（例えば１０秒間）だけ登録状態に移行制御している。また、入力制御器１５は、入力器２３が登録状態のときに、その入力器２３から入力された暗証情報（パスワード）を時刻とともに登録有効時間（例えば１時間）だけ登録し、その入力器２３の玄関機１１と対をなす電気錠１２を開錠するべく開錠信号を出力している。
【００４５】
マンションの専有部エリアに設置される機器は、図３に示すように、各住戸におけるインターホン子機３１が該当する。インターホン子機３１は、インターホン制御機１３を介して居住者が来訪者との間でインターホンで通話を行うもので、インターホンでの通話により居住者が来訪者を確認してマンションへの入館を承認したときに操作（押下）される開錠ボタン３１ａを有している。
【００４６】
次に、上記構成による第２の実施形態の電気錠システムの運用に関して、処理動作毎に場合分けして説明する。
【００４７】
・最初のゲートであるマンションの共用玄関での処理動作（図４を参照）
来訪者は、最初のゲートであるマンションの共用玄関の玄関機１１における呼出入力器２１のテンキー２１ａを操作して居住者部屋番号を押し、訪問先の居住者を呼び出す。これにより、居住者は、住戸のインターホン子機３１で応答し、インターホン通話して来訪者を確認し、来訪者のマンションへの入館を承認する場合はインターホン子機３１の開錠ボタン３１ａを操作（押下）する。
【００４８】
インターホン子機３１の開錠ボタン３１ａが操作（押下）されると、インターホン制御器１３から読取制御器１４に開錠信号が出力される。読取制御器１４は、インターホン制御器１３から開錠信号が入力されると、共用玄関の玄関機１１を設定時間（例えば１０秒）だけ登録状態に移行するべく制御する。これにより、玄関機１１の入力器２３が登録状態に移行する。この登録状態で、来訪者が入力器２３により暗証情報（パスワード）を入力すると、その暗証情報を入力制御器１５に出力する。
【００４９】
続いて、入力制御器１５は、入力器２３から暗証情報が入力されると、その暗証情報を時刻とともに登録有効時間（例えば１時間）だけ一時的に登録する。同時に、その暗証情報を読み取った入力器２３の玄関機１１と対をなす共用玄関の電気錠１２に開錠信号を出力する。これにより、共用玄関の電気錠１２は、読取制御器１４からの開錠信号により開錠する。
【００５０】
・来訪者が途中のゲートで登録済みの記憶媒体を使用した場合の処理動作
その後、来訪者は、共用玄関を通過し、訪問先の住戸までの間の生活導線上の各ゲートにおける玄関機１１の入力器２３から一時登録された暗証情報を登録有効時間が経過する前に入力すれば、入力制御器１５が暗証情報を正常認証し、その入力器２３の玄関機１１と対をなす電気錠１２を開錠する。
【００５１】
・来訪者が時間切れの記憶媒体を使用した場合の処理動作
読取制御器１４は、登録有効時間（例えば１時間）が経過すると、一時登録された暗証情報を自動的に削除し、一時登録を解除する。そして、登録有効時間が経過した後に来訪者が入力器２３から暗証情報を入力すると、入力制御器１５は入力器２３から入力した暗証情報を正常認証せず、その入力器２３の玄関機１１と対をなす電気錠１２を開錠しない。この場合、再度呼出入力器２１から居住者とインターホン通話し、居住者の承認による開錠ボタン３１ａの操作（押下）により入力器２３を登録状態に移行させ、登録状態にある入力器２３に手持ちの記憶媒体をかざして暗証情報の登録を行う。
【００５２】
このように、本例の電気錠システムでは、専有部エリアのインターホン子機３１の開錠ボタン３１ａの操作による開錠信号（電気錠１２の開錠用の接点出力）を受け取り、その直後に来訪者が所持する記憶媒体の認証情報を読取器２２で読み取るか、又は来訪者が入力器２３から任意のパスワードによる暗証情報を入力させ、これら認証情報や暗証情報を一時的に登録し、一時利用ゲストとして所定時間（登録有効時間）だけ建物への出入りができる機能を有している。
【００５３】
これにより、一次利用の来訪者が所持する記憶媒体の認証情報の一時登録や来訪者の操作入力による暗証情報の一時登録を行うにあたって、専用のサーバーやデータベース等が必要なく、初期投資を抑えてシステムを構築することができる。
【００５４】
また、一次利用の来訪者が所持する記憶媒体の認証情報の一時登録や来訪者の操作入力による暗証情報の一時登録を行う場合、管理者やコンシェルジュが仲介、介在する方法が一般的であるが、専有部エリアのインターホン子機の開錠ボタンの操作による開錠信号をトリガとして利用することにより、ゲスト認証行為と登録状態移行を同時に行えるので、管理者、コンシェルジュの負担が無くなり、２４時間新規のゲスト登録が可能になる。
【００５５】
さらに、セキュリティはそのままに自宅玄関まで友人知人を小ストレスで招き入れられ、また生活に必要なサービス（例えば宅配、郵便、ケータリング等）を享受できる。
【００５６】
また、来訪者が所持する記憶媒体の認証情報や来訪者の操作入力による暗証情報は、予め決めた登録有効時間が経過すると、それまでに登録された認証情報や暗証情報が削除され、一時登録が自動的に解除されるので、セキュリティを維持でき、運用連携が必要な他社機器（マンションインターホン装置やオートドア等）に関しては現行製品のままで特殊な改造が伴わないため、導入しやすいシステムを提供することができる。
【符号の説明】
【００５７】
１（１Ａ，１Ｂ）  電気錠システム
１１  玄関機
１２  電気錠
１３  インターホン制御器
１４  読取制御器
１５  入力制御器
２１  呼出入力器
２１ａ  テンキー
２１ｂ  インターホン
２２  読取器
２３  入力器
３１  インターホン子機
３１ａ  開錠ボタン
【図１】
0005524597.tif 000002
【図２】
0005524597.tif 000003
【図３】
0005524597.tif 000004
【図４】
0005524597.tif 000005